(57)【要約】【課題】  中小企業がアナログな在庫管理をデジタルな在庫管理へと移行する動機付けとなる、利便性の高い在庫管理システムを提供する。【解決手段】  ユーザーにより顧客へ納品されるスマート格納棚により内容物の重量を計測し、その重量をサーバーへ送信することにより、商品の売り手が買い手である顧客の在庫状況を把握できる在庫管理システムが実現する。この在庫管理システムを活用することにより、自社在庫のみならず、顧客の在庫状況も加味した物流計画を立てることができるようになる。【選択図】図１
2018108879.tif 000002
【特許請求の範囲】
【請求項１】
格納棚に収容された内容物の重量を計測する重量計と、
重量計により計測された重量を、格納棚を一意に識別するＩＤ情報とともに、サーバーに送信する送信手段と、
を備えた、ユーザーにより顧客へ納品されるスマート格納棚と、
スマート格納棚の送信手段が送信したＩＤ情報および重量を受信するステップと、
受信したＩＤ情報および重量をテーブルに記述するステップと、
を備えるプログラムを記憶領域に格納したサーバーと、
を備えた在庫管理システム。
【請求項２】
前記格納棚は、内容物を一意に識別する識別タグを読み取って製品情報を復号する読み取り手段を備え、
前記送信手段は、重量計により計測された重量を、格納棚を一意に識別するＩＤ情報と製品情報ともに、サーバーに送信し、
前記プログラムは、受信したＩＤ情報と、製品情報と、重量と、をテーブルに記述するステップを備える
請求項１の在庫管理システム。
【請求項３】
前記製品情報は、商品を出荷した業者により入力された、材質、納入日、１点あたりの重量、を少なくとも含む請求項２の在庫管理システム。
【請求項４】
前記プログラムは、
受信した重量が、テーブルに予め記述された所定の値を下回ったときは、予め登録された連絡先に通知するステップを含む、
請求項１の在庫管理システム。
【発明の詳細な説明】
【技術分野】
【０００１】
本発明は、格納棚に収容された内容物を遠隔監視する技術であって、物流および在庫管理の利便性を向上させるための技術に関する。
【背景技術】
【０００２】
従来、商品在庫の管理を自動化する発明が多数存在する。
【先行技術文献】
【特許文献】
【０００３】
【特許文献１】特許４０６８８３２号
【非特許文献】
【０００４】
【非特許文献１】自動在庫管理システム「SmartBin（スマートビン）」とネジの専門会社、ボサード株式会社（http://www.bossard.co.jp/smartbin/）
【発明の概要】
【発明が解決しようとする課題】
【０００５】
従来の技術によれば自社内の在庫は容易に把握することができるが、企業が一度に保管できる在庫の数、一度に運送できる在庫の数には限りがある。
【０００６】
このため、顧客から注文を受けたときに必ずしも顧客が必要とする在庫を供給できるとは限らない。
【０００７】
また、顧客が必ずしも自動在庫管理システムを導入しているとは限らず、導入していたとしてもシステムの扱いに習熟しているとは限らない。
【０００８】
すなわち、従来技術による在庫管理システムはアナログな在庫管理をデジタルな在庫管理と等価に置き換えたものにすぎず、特に中小企業にとって貴重な経営資源を投入してまで導入する動機付けに乏しい。
【課題を解決するための手段】
【０００９】
（在庫管理システムの構成）
格納棚に収容された内容物の重量を計測する重量計と、
重量計により計測された重量を、格納棚を一意に識別するＩＤ情報とともに、サーバーに送信する送信手段と、
を備えた、ユーザーにより顧客へ納品されるスマート格納棚と、
スマート格納棚の送信手段が送信したＩＤ情報および重量を受信するステップと、
受信したＩＤ情報および重量をテーブルに記述するステップと、
を備えるプログラムを記憶領域に格納したサーバーと、
を備えた在庫管理システム。
【００１０】
また、前記格納棚は、内容物を一意に特定する識別タグを読み取って製品情報を復号する読み取り手段を備え、前記送信手段は、重量計により計測された重量を、格納棚を一意に識別するＩＤ情報と製品情報ともに、サーバーに送信し、前記プログラムは、受信したＩＤ情報と、製品情報と、重量と、をテーブルに記述するステップを備えることが好ましい。
【００１１】
また、前記製品情報は、商品を出荷した業者により入力された、材質、納入日、１点あたりの重量、を少なくとも含むことが好ましい。
【００１２】
また、前記プログラムは、受信した重量が、テーブルに予め記述された所定の値を下回ったときは、予め登録された連絡先に通知するステップを含むことが好ましい。
【発明の効果】
【００１３】
本発明によれば、ユーザーにより顧客へ納品されるスマート格納棚により内容物の重量を計測し、その重量をサーバーへ送信することにより、商品の売り手が買い手である顧客の在庫状況を把握できる在庫管理システムが実現する。
【００１４】
この在庫管理システムを活用することにより、自社在庫のみならず、顧客の在庫状況も加味した物流計画を立てることができるようになる。
【図面の簡単な説明】
【００１５】
【図１】本発明の実施形態を説明する概略図
【図２】本発明の実施形態を説明するフローチャート
【発明を実施するための形態】
【００１６】
本発明の基本的な実施形態について図１を用いて説明する。
【００１７】
（スマート格納棚）
スマート格納棚１００は、収容された在庫（内容物）の重量を計測する重量計（図示はしていない）を備えている。
【００１８】
また、スマート格納棚１００は通信手段を備え、後述するサーバー２００と通信する。通信手段の規格は既存の通信規格のものをいずれも採用することができ、また将来考案される通信規格についても採用することが可能である。
【００１９】
図１右側のスマート格納棚１００は売り手の倉庫等に設置された格納棚であり、売り手が管理するサーバー２００と通信する。
【００２０】
図１左側の複数のスマート格納棚１００は買い手の倉庫等に設置された格納棚であり、売り手が管理するサーバー２００と通信する。
【００２１】
スマート格納棚１００は売り手が所持しているものと買い手が所持しているものとで機能の差は無い。
【００２２】
そして、スマート格納棚１００は収容された在庫（内容物）の重量を所定時間毎に通信手段を介してサーバー２００へと送信する自動送信装置（図示はしていない）を備える。
【００２３】
自動送信装置は装置毎に固有のＩＤ情報を持っており、この固有のＩＤ情報はスマート格納棚１００を一意に識別するＩＤ情報として機能する。
自動送信装置は在庫の重量とＩＤ情報を、通信手段を介してサーバー２００へ送信する。
【００２４】
（サーバーにおける処理）
本発明の在庫管理システムにおけるサーバー上でのプログラムの処理について説明する。なおサーバーは在庫を管理するための種々のプログラムを記憶領域に格納しているが、本発明を説明する上で必要な事項のみ説明する。
【００２５】
サーバー２００はスマート格納棚１００が備える自動送信装置から送信された在庫の重量とＩＤ情報を受信する。
【００２６】
次に、サーバー２００は受信した在庫の重量と、自動送信装置のＩＤ情報と、受信した日時を、記憶領域に格納されたテーブルに記述する。
【００２７】
テーブルに記述された、自動送信装置のＩＤごとの在庫の重量は、ブラウザ等のユーザーインターフェースによりユーザーに表示される。これにより、ユーザーは在庫状況の閲覧が可能となる。
【００２８】
そして、本発明によれば、買い手のスマート格納棚１００に備え付けられた自動送信装置から送信された在庫の重量を、売り手のサーバーが取得することにより、売り手が買い手の在庫を閲覧することができる。
【００２９】
（商品ごとの在庫管理）
スマート格納棚１００を一意に特定するＩＤ情報とは別に、格納棚に収容する商品を一意に識別する識別タグを付与することにより、商品ごとの在庫管理を行う実施例について説明する。
【００３０】
識別タグにはＲＦＩＤ、二次元コードなどの既存の規格の識別方法を用いることが好ましい。また将来考案される規格の識別方法を用いてもよい。
【００３１】
スマート格納棚１００は読み取り手段を備え、識別タグにより符号化された製品情報を復号する。
【００３２】
ここでいう製品情報には、商品を出荷した業者により入力された、その商品の材質、納入日、１点あたりの重量、が少なくとも含まれる。
【００３３】
なお、複数の商品を１つのスマート格納棚１００に収容する場合は商品ごとに個別の重量計を使用する（自動送信装置は少なくとも１つあればよい）。
【００３４】
自動送信装置は製品情報をサーバー２００に送信し、サーバー２００では受信したＩＤ情報と、製品情報と、重量と、をテーブルに記述する。
【００３５】
（在庫が足りなくなった場合の通知）
サーバー２００のプログラムにおいては、スマート格納棚１００に収容された内容物の在庫が足りなくなってきた際に、売り手側に何らかの手段により通知をされるように設計することが好ましい。
【００３６】
サーバー２００の記憶領域に格納されたテーブルは、通知を行う判定の基準となる所定の値が予め記述される。
【００３７】
ここでいう所定の値は、買い手の要望、売り手が一度に保管できる在庫の数、売り手が一度に運送できる在庫の数、等に応じて任意に設定しうる。
【００３８】
サーバー２００は、あるスマート格納棚１００より受信した在庫の重量が、所定の値を下回っていたときは、予め登録されている方法によりユーザーへの通知を行う。
【００３９】
通知の方法は、電子メールによる通知、ブラウザ上での表示による通知、スマートフォン等にインストールする専用アプリケーションによる通知等の方法を用いることができる。
【００４０】
（結び）
以上説明した実施形態は、本発明の理解を容易にするために記載されたものであって、本発明の用途を限定するために記載されたものではない。
【００４１】
また、本発明におけるハードウェア装置の構成、各ハードウェア動作に関わるプログラム、データ形式、プログラム言語等は、特定のものに依存しておらず、上記説明した実施形態は一例にすぎない。
【００４２】
したがって、上記の実施形態に開示された各要素は、本発明の技術的範囲に属する全ての設計変更や均等物が含まれる。
【産業上の利用可能性】
【００４３】
本発明は、格納棚に収容された内容物を遠隔監視する技術であって、ありとあらゆる物流の効率化を図るデジタルソリューションとしての産業上の利用可能性を有する。
【符号の説明】
【００４４】
１００  スマート格納棚
２００  サーバー
【図１】
2018108879.tif 000003
【図２】
2018108879.tif 000004